(57)【要約】【課題】    飼料タンク内に野鳥などが侵入するのを防ぎ、飼料の汚染や、家畜への病原菌の伝播を排除して、衛生的な飼料を給与する。【解決手段】飼料タンク投入口フィルター６は、網籠60と、該網籠を飼料タンク１（図１）の投入口31に係止させる係止部材61を備える。網籠60の網目開口寸法は、侵入防止対象の小動物（雀など）は通過困難で、投入される飼料Ｆは容易に通過可能な寸法である。【選択図】  図２
2019112121.tif 000002
【特許請求の範囲】
【請求項１】
網籠（60）と、該網籠を飼料タンク（１）の投入口（31）に係止させる係止部材（61）と、を備える飼料タンク投入口フィルター（６）であって、
前記網籠の網目開口寸法が、侵入防止対象の小動物は通過困難で、投入される飼料（Ｆ）は容易に通過可能な寸法であり、
前記フィルター（６）の上部の径は、前記投入口（31）の内径寸法に対応していることを特徴とする飼料タンク投入口フィルター（６）。
【請求項２】
内部の飼料貯蔵スペーサ（36）、飼料投入口（31）、及び、飼料払い出し口（39）を有するタンク本体（３）と、
前記飼料投入口（31）に配設された請求項１記載の飼料タンク投入口フィルター（６）と、
を備えることを特徴とする飼料タンク。
【請求項３】
飼料タンク（１）内に小動物が侵入するのを防止する方法であって、
該飼料タンクの投入口（31）に、侵入防止対象の小動物は通過困難で、投入される飼料（Ｆ）は容易に通過可能な網目開口寸法の網からなる籠状のフィルター（６）を設けることを特徴とする方法。
【発明の詳細な説明】
【技術分野】
【０００１】
本発明は、配合飼料や飼料原料の配送車から飼料タンクへ飼料を投入する際に、キャップが開いた投入口から、野鳥などの小動物や異物が、飼料タンク内に入るのを防ぐことのできるフィルター等に関する。
【背景技術】
【０００２】
下記特許文献１の図１や図２などには、穀物やその加工品等からなる被貯蔵物を貯蔵するためのサイロであって、サイロ本体２上部の未充填空間３内を換気するための換気手段１０を備えるものが開示されている。同換気手段１０は、未充填空間３内へ外気を導入するための吸気ダクト１１を有している。そして、この吸気ダクト１１の途中部には、サイロ本体２内へのゴミや埃、ネズミや昆虫等の侵入を規制するためのフィルター１７が設けられている（段落0021）。ただし、同サイロへの穀物等の投入口６には、ゴミ等の侵入を規制するフィルターは設けられておらず、その必要性についての言及もない。
【先行技術文献】
【特許文献】
【０００３】
【特許文献１】特開２００１−２６１０９３
【発明の開示】
【発明が解決しようとする課題】
【０００４】
本発明は、配合飼料や飼料原料（以下、両者合わせて単に飼料ということもある）の配送車から飼料タンクへ飼料を投入する際に、今まで以上に投入時間をかけることなく、飼料投入口から、野鳥などの小動物や異物が、飼料タンク内に入るのを防ぐことのできるフィルター等を提供することを目的とする。また、そのようなフィルターにより、飼料タンク内に野鳥やネズミなどの小動物が侵入するのを防ぎ、飼料等の盗み食いや汚染、あるいは家畜への病原菌の伝播を排除して、衛生的な飼料を給与することができる方法を提供することを目的とする。
【課題を解決するための手段】
【０００５】
この「課題を解決するための手段」、及び、「特許請求の範囲」においては、添付図各部の参照符号を括弧書きして示すが、これは単に参考のためであって、権利範囲を添付図のものに限定するものではない。
【０００６】
本発明の飼料タンク投入口フィルター（６）は、  網籠（60）と、該網籠を飼料タンク（１）の投入口（31）に係止させる係止部材（61）と、を備える飼料タンク投入口フィルター（６）であって、  前記網籠の網目開口寸法が、侵入防止対象の小動物は通過困難で、投入される飼料（Ｆ）は容易に通過可能な寸法であり、  前記フィルター（６）の上部の径は、前記投入口（31）の内径寸法に対応していることを特徴とする。
【０００７】
上記網籠の網目開口形状は、典型的には矩形である。矩形の短辺の寸法の好適な範囲は、１０ｍｍ〜２５ｍｍであり、長辺の寸法の好適な範囲は、１５ｍｍ〜１００ｍｍである。一例として、正方形の開口寸法１９ｍｍ（線間２０ｍｍ、線径１ｍｍ）、あるいは、長方形の開口寸法「短辺１０ｍｍ×長辺１００ｍｍ」や、「短辺２０ｍｍ×長辺４０ｍｍ」などである。この場合における侵入防止対象の小動物は、例えば、雀などの野生の小鳥、あるいは鼠である。特に、野生の小鳥の飼料タンクへの侵入防止は、養鶏農家における鳥インフルエンザ対策として、近年きわめて重要な事項である。牛や豚の飼料タンクにおいても、飼料の盗み食いや汚染、あるいは家畜への病原菌の伝播を排除して、衛生的な飼料を給与することが重要であることはもちろんである。
配合飼料は、飼料原料であるトウモロコシ粉、飼料用米、大豆油粕などの混合物が主体である。さらに、牛・豚用には、それらの圧ぺんやペレットを混合して用いる場合もある。具体的な飼料の状態・粒度に応じて、実験を行うことにより、網籠の網目開口の形状や寸法を設定できる。なお、上述のとおり、本明細書中で「飼料」という文言は、特に断らない限り、配合飼料及び飼料原料の双方を意味するものであり、前者に限った意味に用いるものではない。
【０００８】
投入口（31）の内径寸法の例は、４００〜８００ｍｍ程度である。投入口（31）の内径とフィルター（６）との間の隙間は、１０ｍｍ以下であることが好ましい。フィルター（６）の網籠（60）の深さは、例えば、３００〜４００ｍｍである。籠の深さは、図１を参照しつつ後述するように、飼料配送車のスクリューコンベア（11）先端のホース（13）の飼料投入口（31）への差し入れ寸法や、ホース（13）から下に自由落下する飼料の落下代を見込んだ寸法となる。具体的には、実際の飼料を、具体的に選定した網目開口寸法の網籠を用いて、望ましい速度で連続投入する実験を行って決定できる。
【０００９】
網の素線は、径１ｍｍ〜５ｍｍ程度のステンレス鋼線が好ましい。網は、いわゆる溶接金網が好ましい。溶接金網は、素線を四角マス目状に配列し、各交点をスポット溶接などで接合したものである。溶接金網は、編み金網に比べて、飼料などの粉粒体が通過しやすい。また、強度が高く、ピッチが変わらない（編み金網は線径や網方によっては、網目が広がることもあり得る）。なお、網籠の側面は、全てが網である必要はない（孔の開いていない板でもよい）。網の材質は、通常金属であるが、それに限定されるものではない。
【００１０】
本発明の飼料タンク（１）は、  内部の飼料貯蔵スペース（36）、飼料投入口（31）、及び、飼料払い出し口（39）を有するタンク本体（３）と、  前記飼料投入口（31）に配設された請求項１記載の飼料タンク投入口フィルター（６）と、を備えることを特徴とする。
【００１１】
本発明の飼料タンクへの小動物の侵入防止方法は、  飼料タンクの投入口（31）に、侵入防止対象の小動物は通過困難で、投入される飼料（Ｆ）は容易に通過可能な網目開口寸法の網からなる籠状のフィルター（６）を設けることを特徴とする。
【発明の効果】
【００１２】
本発明によれば、今まで以上に投入時間をかけることなく（投入速度を落とすことなく）、野鳥などの小動物や異物が、飼料タンクの投入口から飼料タンク内に入るのを防ぐことができる。これにより、飼料の盗み食いや汚染、あるいは家畜への病原菌の伝播を排除して、衛生的な飼料を給与することができる。
【図面の簡単な説明】
【００１３】
【図１】本発明の実施の形態に係る配合飼料タンク１の構成を示す模式的な図である。
【図２】図１の装置における投入口フィルター６を模式的に示す図であって、（Ａ）は斜め上から見た斜視図であり、（Ｂ）は鳥瞰図的な平面図である。
【図３】投入口フィルターの形状の変形例を示す模式的側面図である。
【符号の説明】
【００１４】
Ｆ；飼料、１；飼料タンク（バラタンク）、
11；スクリューコンベア、13；ホース
３； タンク本体、31；投入口、33；口縁リング、35；天井部、
36；飼料貯蔵スペース（内部）、37；胴部、38；ロート部、39；飼料払い出し口
５；投入口キャップ
６；飼料タンク投入口フィルター、
60；網籠、61；係止部材（フック）、61b；フック部、63；上縁リング、65；縦条
67；側網、69；下縁リング、71；底条、73；底網、
８；支柱
106；フィルター、106b；上辺、106f；側面、106j；下辺、
206；フィルター、206b；上辺、206f；側面、206j；底面
【発明を実施するための形態】
【００１５】
以下、本発明の実施の形態について、図面を参照しながら詳細に説明する。なお、ここに記載した実施の形態は、一例であって、本発明の範囲を定めるものではない。
まず、図１を参照しながら、本発明の実施の形態に係る飼料タンク１の構成を説明する。飼料タンク１は、一般的に農場などに設置されている略円筒状のものである。例えば５トン容量のもので、高さ５ｍ程度、径２ｍ程度の寸法である。この程度の大きさのものは、通常、ＦＲＰ製又は鉄製である。
【００１６】
飼料タンク１の本体３は、上から下に、下方向に広がる天井部35、その下の略円筒状の胴部37、その下のロート部38などを有している。飼料タンク本体３の内部36は、粒・粉状のバラ飼料Ｆの貯蔵スペースとなっている。タンク本体３は、支柱８で地面あるいは土台上に支えられている。タンク本体３の上部には飼料投入口31が設けられており、下部には飼料払い出し口39が設けられている。自動化された畜産農場の場合、飼料払い出し口39には、飼料の搬送コンベア（図示されず）が接続されている。
【００１７】
投入口31は、図１の上部に示すように、円環状の口縁リング33の中央の開口として、設けられている。投入口31の内径は、例えば、400〜800ｍｍである。投入口31は、スイング開閉式の投入口キャップ５で、開閉可能になっている。投入口31から、タンク１内に飼料Ｆを投入する際は、飼料配送専用車（バルク車ともいう、図示されず）から、車載のスクリューコンベア11で投入口31の上まで飼料を運び、コンベア11の先から、ホース13を介してタンク内36に飼料Ｆを落下させる。
【００１８】
次に、図２も参照しつつ、本発明の飼料タンク１における特徴的構成である投入口フィルター６について説明する。図２は、図１の装置における投入口フィルター６を模式的に示す図であって、（Ａ）は斜め上から見た斜視図であり、（Ｂ）は鳥瞰図的な平面図である。
【００１９】
この実施形態（一例）の投入口フィルター６は、図２（Ａ）に示すように、全体が有底円筒状の網籠60を主体に構成されている。フィルター６は、側面を一周円く取り巻く側網67と、この側網67の底をカバーする底網73を有する。このフィルター６では、網67・73は、いずれも、ステンレス鋼製の太さ１ｍｍの線を、四角マス目ピッチ２０ｍｍで配列し、各交点をスポット溶接などで接合したもの（いわゆる溶接金網）である。溶接金網は、編み金網に比べて、強度が高く、ピッチが変わらない（編み金網は網目が広がることもありうる）。また、飼料などの粉粒体が通過しやすい。なお、側網67は、全てが金網である必要は必ずしもない。
【００２０】
側網67の上辺には、上縁リング63が溶接されて補強されている。上縁リング63は、ステンレス鋼の幅狭帯板や棒などを用いることができる。側網67の外面の円周上４か所には、縦方向に縦条65が沿わされている（縦条65は六ケ所などであってもよい）。縦条65は、この例では、ステンレス鋼の幅狭帯板である。縦条65上端と上縁リング63との間は溶接されている。
【００２１】
側網67の下辺には、下縁リング69が溶接されて補強されている。下縁リング69は、ステンレス鋼の幅狭帯板や棒などを用いることができる。下縁リング69は、底網73の外周に溶接接続されている。底網73の底面には、十字型に、底条71が沿わされている。底条71は、この例では、ステンレス鋼の幅狭帯板である。底条71と下縁リング69との間は溶接接続されている。
【００２２】
縦条65の上部は、上に延び出て、フック61となっている。フック61の上部は、やや外側に張り出すように曲がっている。フック61の上端部は、内側に折り返されたフック部61bとなっている。このフック部61bは、図１に示すように、タンク１の投入口31の口縁リング33に引っ掛けることができ、これにより、投入口フィルター６を、タンク投入口31の中の下方にセットできる。すなわち、フィルター６の本体（網籠）60は、ほとんどの部分が、タンク本体３の内部36に存在している。そして、フィルター６が存在しても、投入口キャップ５の開閉は妨げられることはない。
【００２３】
投入口フィルター６の外径は、投入口31の口縁リング33の内径よりも１０ｍｍ以下である。これにより、フィルター６を投入口31に設置しやすいとともに、投入口フィルター６の外径と、投入口31の口縁リング33との間の隙間からの、小動物の侵入を防止できる。なお、小動物等のタンクへの侵入は、飼料投入時に投入口のキャップが開いた状態ばかりでなく、キャップが閉まっている状態でもキャップと投入口の隙間から侵入することがありうるが、本実施形態のフィルターは、その両方を防ぐことができる。投入口フィルター６の深さは、飼料の連続投入に支障のない寸法である。後述の実験例では、３５０ｍｍである。
【００２４】
ここで、実際にフィルター６を通して飼料を投入する実験の例を説明する。
フィルター６の緒元；径５００ｍｍ、深さ３５０ｍｍ、網素線径１．６ｍｍ、素線ピッチ２０ｍｍ
投入飼料；商品名「パワーチックＺＫ前期」、飼料形状クランブル、通過篩隙間２０ｍｍ
飼料投入速度；１０００リットル／分
【００２５】
この条件で、飼料が問題なく通過することを確認した。すなわち、図１に示すように、飼料配送専用車（図示されず）のスクリューコンベア11の先から、ホース13を介して、投入口31からフィルター６内に、飼料Ｆ１を投入すると、この飼料Ｆ１は、底網73を通過してスムーズに下に落ち（飼料Ｆ２）、タンク内部に貯まる（Ｆ３）。籠の深さは、飼料配送車のスクリューコンベア11先端のホース13の飼料投入口31への差し入れ寸法Ｈ１、及び、ホース13から下に側網67まで自由落下する飼料の落下代Ｈ２を見込んだ寸法である。
【００２６】
次に、図３を参照しつつ、投入口フィルターの形状の変形例を説明する。図３は、模式的側面図である。
図３（Ａ）のフィルター106は、上辺106bの方が下辺106jよりも大きい円錐台状である。側面106fは、下窄まりの円錐面である。
図３（Ｂ）のフィルター206は、側面206fと底面206jが連続した曲面である。なお、上辺206bは平面上にある。
図３（Ｃ）のフィルター306は、下辺306jの方が上辺306bよりも大きい円錐台状である。側面306fは、下広がりの円錐面である。
図３（Ｄ）のフィルター406は、上辺406bが水平でなく斜めになっている。飼料タンクへの飼料投入口を、タンク天井部の端の少し傾斜した部位に設けるような場合に適したフィルター形状である。
図３（Ｅ）のフィルター506は、側面506fと底面506jが連続した曲面である。そして、図３（Ｄ）同様に、上辺506bが水平でなく斜めになっている。
【００２７】
本発明においては、既に述べたものの他、以下のような改変・追加を行うことができる。
図２のフィルター６では、底網73の底面に、十字型に底条71を設けて、側網67を補強してあるが、側網自体に十分強度がある場合には、この底条71は省略することもできる。その方が、飼料の通過性が良い。図３の（Ｂ）や（Ｅ）のように、底が曲面のものは、底網の強度が高いので、底条や下縁リングによる補強を省略しやすい。
【図１】
2019112121.tif 000003
【図２】
2019112121.tif 000004
【図３】
2019112121.tif 000005